(57)【要約】【課題】鞄類を前記のカード検出装置に接触させまたはかざす際には、カード検出装置の近傍をスムーズに通過させることができ、しかも電子パス類を鞄類から取り出して直接カード読取機に投入する必要が生じた場合でも、簡単に取り出すことができて電子パスの利便性をさらに高めることの可能な鞄類用カード収納構造を提供しようとするものである。【解決手段】鞄類の本体の底部に、所定の電子パス類を収納する収納部を設けるとともに、その開口部を閉じる蓋部材の端部を該開口部から延長して鞄類の本体の側面に着脱可能に取り付け、かつ前記収納部の側面に厚さ変更手段を設けて収納部の厚さを変えられるようにしたことを特徴とする鞄類用カード収納構造。【選択図】図１
0003138347.tif 000002
【実用新案登録請求の範囲】
【請求項１】
鞄類の本体の底部に、所定の電子パス類を収納する収納部を設けるとともに、その開口部を閉じる蓋部材の端部を該開口部から延長して鞄類の本体の側面に着脱可能に取り付け、かつ前記収納部の側面に厚さ変更手段を設けて収納部の厚さを変えられるようにしたことを特徴とする鞄類用カード収納構造。
【請求項２】
前記収納部の側面に設けた厚さ変更手段が、折畳み構造であることを特徴とする請求項１記載の鞄類用カード収納構造。
【請求項３】
前記収納部の側面に設けた厚さ変更手段が、該側面を構成する側壁の、鞄類の本体の底部からの出没構造であることを特徴とする請求項１記載の鞄類用カード収納構造。
【請求項４】
前記収納部の側面に設けた厚さ変更手段が、該側面を構成する側壁素材を伸縮素材としたことを特徴とする請求項１記載の鞄類用カード収納構造。
【考案の詳細な説明】
【技術分野】
【０００１】
この考案はＩＣカード等の電子パス類を収納することができる鞄類用カード収納構造に関する。
【背景技術】
【０００２】
最近、駅構内の改札機やバスの乗降口付近の所定位置に設けた検知器（以下「カード検出装置」という）に接触させまたはかざすだけで運賃が精算され、または定期券の有効性が確認され、乗客の駅への入退場やバスの乗降を迅速に行うようにする電子的なパス（以下、単に「電子パス」という）が大幅に利用されてきている。
従来の定期券は、いちいちホルダから外して出入り口を備えた改札機にとおす必要があったが、電子パスはホルダに収納した状態のまま、前記のカード検出装置に近づけるだけでよいため、利用者の利便性は格段に高まった。
同様にコンビニエンスストア等の店舗においても、各店舗で電子マネー（以下電子マネーを含めて「電子パス類」という）が使えるカード検出装置の設置が推進されており、買い物の清算に電子マネーを利用することが普及してきている。
【０００３】
このようなＩＣカード等の電子パス類の利用に際し、そのつど鞄等を開けて、財布や定期券入れ等から電子パス類を取り出してカード検出装置に接触させまたはかざすことが行なわれていたが、そのような動作は非常に手間がかかり、スムーズにカード検出装置に接触させまたはかざすことができずに、改札機位置において渋滞を来たす原因となる。
【０００４】
そこで鞄類に電子パスを収納をしたまま、前記のカード検出装置にかざして改札機を通過できるようにすることが考えられ、そのような機能を備えた鞄類が種々提案されている。
例えば、特開２００４−１６５５１号公報（特許文献１参照）には、鞄の底部に電子パスの収納部を設け、鞄に入れたまま電子パスを改札機のカード検出装置に接触させまたはかざすと、乗客の入退場が可能となるようにしたものである。
特開２００５−２１８６２１号公報（特許文献２参照）には、カードを専用に格納するための、外側壁面が電波透過可能な構成の蓋付きカード専用格納部をショルダ付きバッグ本体の底部に設けたバッグ等携帯用具が示されている。
上記以外にも電子パスを収納可能な鞄類は多数提案されているが、基本的には同様の構造を備えたものであり、いずれにしてユーザは、単に鞄類を前記のカード検出装置に接触させまたはかざすだけでよく、改札の通過が格段に楽になる。
【特許文献１】特開２００４−１６５５１号公報
【特許文献２】特開２００５−２１８６２１号公報
【考案の開示】
【考案が解決しようとする課題】
【０００５】
しかしながら、電子パス類は前記カード検出装置に接触させまたはかざす場合以外にも、鞄類から取り出して直接カード読取機に投入したり、直接係員に提示する必要が生じる場合があり、そのような場合には前記各従来例の鞄類では取り出しやすさがまったく考慮されていなかった。
したがってこの考案は、鞄類を前記のカード検出装置に接触させまたはかざす際には、カード検出装置の近傍をスムーズに通過させることができ、しかも電子パス類を鞄類から取り出して直接カード読取機に投入する必要が生じた場合でも、簡単に取り出すことができて電子パスの利便性をさらに高めることの可能な鞄類用カード収納構造を提供しようとするものである。
【課題を解決するための手段】
【０００６】
この考案の鞄類用カード収納構造は、鞄類の本体の底部に、所定の電子パス類を収納する収納部を設けるとともに、その開口部を閉じる蓋部材の端部を該開口部から延長して鞄類の本体の側面に着脱可能に取り付け、かつ前記収納部の側面に厚さ変更手段を設けて収納部の厚さを変えられるようにしたことを特徴とするものである。
【０００７】
この考案の鞄類用カード収納構造は、前記収納部の側面に設けた厚さ変更手段が、折畳み構造であることをも特徴とするものである。
【０００８】
この考案の鞄類用カード収納構造は、前記収納部の側面に設けた厚さ変更手段が、該側面を構成する側壁の、鞄類の本体の底部からの出没構造であることをも特徴とするものである。
【０００９】
この考案の鞄類用カード収納構造は、前記収納部の側面に設けた厚さ変更手段が、該側面を構成する側壁素材を伸縮素材としたことをも特徴とするものである。
ここで、所定の電子パス類とは、前述のごとく、改札機のカード検出位置に接触させまたはかざすだけで乗客の入退場を可能とするパスをいう。また電子マネーとは各店舗でカード検出装置にかざすだけで買い物の清算が行なえるカード類をいう。この考案の鞄類用カード収納構造によれば、電子パス類が底部に位置しているため、乗客はわざわざ電子パス類を取り出して手にもつ必要はなく、単に鞄類の底部をカード検出位置に近づければ足りる。
【考案の効果】
【００１０】
この考案によれば、鞄類を前記のカード検出装置に接触させまたはかざす際には、電子パス類をしっかり保持してカード検出装置の近傍をスムーズかつ誤動作なく通過させることができ、しかも鞄類から取り出して直接カード読取機に投入する必要が生じた場合でも簡単に取り出すことができて、電子パスの利便性をさらに高めることの可能な鞄類用カード収納構造が提供可能である。
したがってこの考案の鞄類用カード収納構造を採用すれば、ユーザの利便性をより高めた鞄類を提供することができる。
ちなみに、この考案の鞄類用カード収納構造をショルダ付きバッグに適用すると、バッグを肩に掛けたままの状態で電子パス類を収納した収納部をカード検出装置にかざせばよく、いずれにしても電子パス類を収納した収納部の向きを調整するだけでカード検出装置に接触させまたはかざすことができるので非常に便利である。
【考案を実施するための最良の形態】
【００１１】
以下この考案の鞄類用カード収納構造の実施の形態を、図面に基いて詳細に説明する。
図１はこの考案の鞄類用カード収納構造の１実施例を示し、ＩＣカード等からなる電子パス類の収納部の側面に設けた厚さ変更手段を折畳み構造とした場合の斜視図、図２は蓋部材を閉じた状態の斜視図、図３は電子パス類の収納部の側面に設けた厚さ変更手段を折畳み構造とし、蓋部材の形状を変えた実施例の斜視図、図４は蓋部材を閉じた状態の斜視図、図５（ａ）は厚さ変更手段を外向きの円弧状断面からなる折畳み構造とした例を示す概略図、図５（ｂ）は厚さ変更手段を内向きの円弧状断面からなる折畳み構造とした例を示す概略図、図５（ｃ）は厚さ変更手段を外向きの折り目を有する折畳み構造とした例を示す概略図、図５（ｄ）は厚さ変更手段を内向きの折り目を有する折畳み構造とした例を示す概略図、図６はこの考案の鞄類用カード収納構造の他の実施例を示し、電子パス類の収納部の側面に設けた厚さ変更手段を側壁が鞄類の本体の底部から出没する構造とした場合の斜視図、図７は蓋部材を閉じた状態の斜視図、図８はこの考案の鞄類用カード収納構造のさらに他の実施例を示し、電子パス類の収納部の側面に設けた厚さ変更手段を該側面を構成する側壁素材を伸縮素材とした場合の斜視図、図９は蓋部材を閉じた状態の斜視図、図１０（ａ）はこの考案の鞄類用カード収納構造のさらに他の実施例を示す要部拡大図、（ｂ）は蓋部材を開いて電子パス類を取り出す際の要部拡大図である。
【００１２】
図１および図２はこの考案の鞄類用カード収納構造を適用した鞄１１を斜め下から見た外観を示す。該鞄１１の底部１３外面側には、電子パスや電子マネー等の電子パス類１０を収納する収納部１５が設けられている。この収納部１５は、硬質あるいは半硬質素材（例えば幌布など）からなる底板２１と側壁２３から構成され、かつ側壁２３は折畳み可能な構造となっている。
前記収納部１５は、電子パス類１０を中に入れた状態で閉鎖する帯状の蓋部材１７を有し、電子パス類１０が外に出ないよう配慮している。該蓋部材１７は鞄１１の側面方向に延長され、ホック１９等を用いて端部を鞄１１に固着することができる。
【００１３】
前記収納部１５は、底部１３の長手方向において、いずれか一方に偏った位置に取り付けられている。したがって、ユーザは鞄１１を持ちながらスムーズに収納部１５をカード検出装置に接触させまたはかざすことができる。
【００１４】
この考案においては、上述したように鞄１１の底面に電子パスの収納部１５が取り付けてある。したがって電子パス類１０を収めまたは取り出す際は、収納部１５の開口から行うこととなる。
まず、ＩＣカード等からなる電子パスを収納部１５に収納しておけば、例えば自動改札機等のカード検出装置のカード読み取り部分に、鞄１１底面の収納部１５を接触させまたはかざすだけで自動改札等を通過することができる。また電子マネーのカードを収納しておけば、レジ付近のカード読み取り装置に収納部１５を接触させまたはかざすだけで、買い物等の支払をすることができる。
【００１５】
もちろん、カードへの金銭補充（チャージ）や店員にカードを提示して支払う場合等において、ＩＣカード等からなる電子パス類１０を取り出す必要があるときは、収納部１５の開口から電子パス類１０を取り出すことができる。収納部１５は、その側面が図１に示すような折畳み可能な構造になっており、これによって収納部１５の開口が大きく開き、容易に電子パス類１０の出し入れを行うことができる。
【００１６】
収納部１５の前記開口部分には、カード脱落防止機能を備えた蓋部材１７が取り付けられている。図２に示すように、該蓋部材１７の先端を鞄１１の側面にホック１９で固着することで、電子パス類１０を収納部１５内に遊びの無いように保持して、カード検出装置における誤動作を解消し、かつ収納してある電子パス１０類の脱落を防止して、紛失や盗難を防ぐことができる。またホック１９で、蓋部材１７を容易に外すことができるため、簡便かつ迅速な電子パス類１０の出し入れが可能である。
【００１７】
この考案における鞄１１の大きさは問わないが、手で持った状態でカード検出装置に接触させまたはかざす必要があるため、好ましくはハンドバック、書類鞄、セカンドバッグやポーチまたはそれらに類する大きさが望ましい。ただし、カード検出位置が床面にあるようなアプリケーションでは、鞄１１の大きさは全く不問でよく、非常に重い旅行鞄その他でも十分に利用可能となる。
【００１８】
図３および図４の実施例においては、カード脱落防止機能を備えた蓋部材３１が収納部１５のほぼ全幅に等しい幅を備え、円弧状に形成した先端を鞄１１の側面に面ファスナ３３で固着しておくことで、電子パス類１０を収納部１５内に遊びの無いように保持して、カード検出装置における誤動作を解消し、かつ鞄１１の底部１３からの収納してある電子パス類１０の脱落を防止し、紛失や盗難を防ぐことができる。また面ファスナ３３で、蓋部材３１を容易に外すことができるため、簡便かつ迅速な電子パス類１０の出し入れを可能にする。
【００１９】
前記厚さ変更手段としては、図５（ａ）に示すような、外向きの円弧状断面からなる折畳み構造としたり、図５（ｂ）に示すような、内向きの円弧状断面からなる折畳み構造としたり、図５（ｃ）に示すような、外向きの折り目を有する折畳み構造としたり、図５（ｄ）に示すような、内向きの折り目を有する折畳み構造とすることができる。
【００２０】
図６および図７は、この考案の鞄類用カード収納構造の別の例を適用した鞄１１を斜め下から見た外観を示す。該鞄１１の底部１３外面側には、電子パスや電子マネー等の電子パス類１０を収納する収納部１５が設けられている。この収納部１５は、硬質あるいは半硬質素材からなる底板４１と側壁４３から構成され、かつ側壁４３は鞄１１本体の底部から出没可能な構造となっている。すなわち、鞄１１本体の底部にはスライド溝４５が形成されており、前記側壁４３はこのスライド溝４５部分において出没可能となっている。
【００２１】
前記収納部１５は、電子パス類１０を中に入れた状態で閉鎖する左右一対の帯状の蓋部材４７を有し、電子パス類１０が外に出ないよう配慮している。該蓋部材４７は鞄１１の側面方向に延長され、ホック４９等を用いて端部を鞄１１に固着することができる。このようにすれば、電子パス類１０を収納部１５内に遊びの無いように保持して、カード検出装置における誤動作を解消し、またホック４９で、蓋部材４７を容易に外すことができるため、簡便かつ迅速な電子パス類１０の出し入れを可能にする。
【００２２】
図８および図９は、この考案の鞄類用カード収納構造のさらに別の例を適用した鞄１１を斜め下から見た外観を示す。該鞄１１の底部１３外面側には、電子パスや電子マネー等の電子パス類１０を収納する収納部１５が設けられている。この収納部１５は、硬質あるいは半硬質素材からなる底板５１と側壁５３から構成され、かつ側壁５３を構成する側壁素材がゴム類やその他の弾性シート等からなる伸縮素材としたものである。
【００２３】
前記収納部１５は、電子パス類１０を中に入れた状態で閉鎖する所定幅の蓋部材５５を有し、電子パス類１０が外に出ないよう配慮している。該蓋部材５５は鞄１１の側面方向に延長され、左右に一対のホック５７等を用いて端部を鞄１１に固着することができる。このようにすれば、電子パス類１０を収納部１５内に遊びの無いように保持して、カード検出装置における誤動作を解消し、またホック５７で、蓋部材５５を容易に外すことができるため、簡便かつ迅速な電子パス類１０の出し入れを可能にする。
【００２４】
図１０はこの考案の鞄類用カード収納構造のさらに他の実施例を示す要部拡大図で、鞄１１の底部１３外面側には、電子パスや電子マネー等の電子パス類１０を収納する収納部１５が設けられている。この収納部１５は、硬質あるいは半硬質素材からなる底板６１と側壁（図示せず）から構成され、かつ底板６１の基端部を蝶番６２で鞄１１の底部１３に連結したものである。この蝶番としては、通常の金属製の蝶番のみならず、プラスチックヒンジや、布・弾性シートその他可撓性のある素材で底板６１を前記底部１３に連結した構造等を採用することができる。
【００２５】
前記収納部１５は、電子パス類１０を中に入れた状態で閉鎖する所定幅の蓋部材６３を有し、電子パス類１０が外に出ないよう配慮している。該蓋部材６３は底板６１先端に屈曲自由に連結され、かつ鞄１１の側面方向に延長されて、ホックや面ファスナ等の係合部材６４を用いて端部を鞄１１に固着することができる。このようにすれば、図１０（ａ）に示すように電子パス類１０を収納部１５内に遊びの無いように保持して、カード検出装置における誤動作を解消し、また係合部材６４で、蓋部材６３を容易に外すことができるため、簡便かつ迅速な電子パス類１０の出し入れを可能にする。
なお、蓋部材６３先端の前記係合部材６４に対応する位置に重り６５を取り付けておけば、図１０（ｂ）のように蓋部材６３を係合部材６４から引き外すだけで、蓋部材６３が重り６５の自重で自動的に最大限開くこととなり、極めて簡便かつ迅速な電子パス類１０の出し入れが可能となる。
なお、電子パス類１０やカード検出装置に悪影響を及ぼさなければ、係合部材６４として吸着用マグネットを使用することもできる。
【産業上の利用可能性】
【００２６】
実施の形態では、電子パスや電子マネーを収納するための鞄類用カード収納構造として説明したが、電子パスや電子マネーに限る必要はない。カード検出装置に接触させまたはかざすことで何らかの処理がなされる任意のＩＣカード等にための機構であればよい。
【図面の簡単な説明】
【００２７】
【図１】この考案の鞄類用カード収納構造の１実施例を示し、ＩＣカード等の収納部の側面に設けた厚さ変更手段を折畳み構造とした場合の斜視図である。
【図２】蓋部材を閉じた状態の斜視図である。
【図３】ＩＣカード等の収納部の側面に設けた厚さ変更手段を折畳み構造とし、蓋部材の形状を変えた実施例の斜視図である。
【図４】蓋部材を閉じた状態の斜視図である。
【図５】（ａ）は厚さ変更手段を外向きの円弧状断面からなる折畳み構造とした例を示す概略図、（ｂ）は厚さ変更手段を内向きの円弧状断面からなる折畳み構造とした例を示す概略図、（ｃ）は厚さ変更手段を外向きの折り目を有する折畳み構造とした例を示す概略図、（ｄ）は厚さ変更手段を内向きの折り目を有する折畳み構造とした例を示す概略図である。
【図６】この考案の鞄類用カード収納構造の他の実施例を示し、ＩＣカード等の収納部の側面に設けた厚さ変更手段を側壁が鞄類の本体の底部から出没する構造とした場合の斜視図である。
【図７】蓋部材を閉じた状態の斜視図である。
【図８】この考案の鞄類用カード収納構造のさらに他の実施例を示し、ＩＣカード等の収納部の側面に設けた厚さ変更手段を該側面を構成する側壁素材を伸縮素材とした場合の斜視図である。
【図９】蓋部材を閉じた状態の斜視図である。
【図１０】（ａ）はこの考案の鞄類用カード収納構造のさらに他の実施例を示す要部拡大図、（ｂ）は蓋部材を開いて電子パス類を取り出す際の要部拡大図である。
【符号の説明】
【００２８】
１０  電子パス類
１１  鞄
１３  底部
１５  収納部
１７  蓋部材
１９  ホック
２１  底板
２３  側壁
３１  蓋部材
３３  面ファスナ
４１  底板
４３  側壁
４５  スライド溝
４７  蓋部材
４９  ホック
５１  底板
５３  側壁
５５  蓋部材
５７  ホック
６１  底板
６２  蝶番
６３  蓋部材
６４  係合部材
６５  重り
【図１】
0003138347.tif 000003
【図２】
0003138347.tif 000004
【図３】
0003138347.tif 000005
【図４】
0003138347.tif 000006
【図５】
0003138347.tif 000007
【図６】
0003138347.tif 000008
【図７】
0003138347.tif 000009
【図８】
0003138347.tif 000010
【図９】
0003138347.tif 000011
【図１０】
0003138347.tif 000012